(57)【要約】【課題】  より適切な広告の提供を行って閲覧の目的、閲覧時の希望に対応する配信および表示方法を提示すると共に閲覧者の表示要求の受け付けを可能にする。【解決手段】  広告提供者端末からの初回広告データが分類されて前記広告データベースに格納されると、管理手段は、当該初回データの所属する分類について設定もしくは再設定された配信グレードを当該次回広告データに付し、配信手段は、次回広告データが配信グレード設定領域に属するときはウェブサイトの閲覧用端末に画面表示すると共に配信要求の広告データであることを示す音声表示にして配信する。【選択図】図３
2006163549.tif 000002
【特許請求の範囲】
【請求項１】
広告提供者端末からの広告データを入力する入力手段と、
該入力手段から入力された広告データを、記憶手段に格納した分類に従って分類し、アイデンティ付号を付与する分類手段と、
前記広告データを、インターネットを介し、ウェブサイトの閲覧用端末に、次回からの広告データの中で類似の広告データについての配信要求を問合せる項目と共に順次配信する配信手段と、
前記閲覧用端末からの配信要求の可否の選定結果を受け付け、前記アイデンティ付号をキーとして広告データに選択結果を付すと共に、当該広告データの所属する分類について配信データ数および配信要とした選定結果を集計し（要求数の集計）、当該広告データの所属する分類する配信データ数の中で選択結果の受付数を集計し（閲覧数の集計）、配信データもしくは、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記管理手段は、前記配信手段で配信された配信データの数および各広告データに表示された商品についての購買履歴を入力することによって当該分類についての購買履歴データ数を算出して、前記管理管理データベースに格納させ、前記記憶手段に格納された配信データと購買履歴データと他の配信グレードとの関係マップを参照して、前記配信データ数および前記購買履歴データ数から当該分類について他の配信グレードを設定もしくは再設定する、管理手段と、を有し、
前記広告提供者端末からの初回広告データが分類されて前記広告データベースに格納されると、前記管理手段は、当該初回データの所属する分類について設定もしくは再設定された配信グレードを当該次回広告データに付し、前記配信手段は、次回広告データが配信グレード設定領域に属するときは前記ウェブサイトの閲覧用端末に画面表示すると共に配信要求の広告データであることを示す音声表示にして配信すること
を特徴とする広告表示装置。
【請求項２】
広告提供者端末からの広告データを入力する入力手段と、
該入力手段から入力された広告データを、記憶手段に格納した分類に従って分類し、アイデンティ付号を付与する分類手段と、
前記広告データを、インターネットを介し、ウェブサイトの閲覧用端末に、次回からの広告データの中で類似の広告データについての配信要求を問合せる項目と共に設定された単位時間で順次配信する配信手段と、
前記閲覧用端末からの配信要求の可否の選定結果を受け付け、前記アイデンティ付号をキーとして広告データに選択結果を付すと共に、当該広告データの所属する分類について配信データ数および配信要とした選定結果を集計し（要求数の集計）、当該広告データの所属する分類する配信データ数の中で選択結果の受付数を集計し（閲覧数の集計）、配信データもしくは閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記配信手段で配信された配信データの数および各広告データに表示された商品についての購買履歴を入力することによって当該分類についての購買履歴データ数を算出して、前記管理管理データベースに格納させ、前記記憶手段に格納された配信データと購買履歴データと他の配信グレードとの関係マップを参照して、前記配信データ数および前記購買履歴データ数から当該分類について他の配信グレードを設定もしくは再設定する、管理手段と、を有し、
前記広告提供者端末からの初回広告データが分類されて前記広告データベースに格納されると、前記管理手段は、次回データの所属する分類について設定もしくは再設定された配信グレードを当該初回広告データに付し、前記配信手段は、次回広告データが配信グレード設定領域に属するときは前記ウェブサイトの閲覧用端末に、表示時間が単位長さのほぼ整数倍の長さで画面表示するようにして配信し、かつ配信要求の広告データであることを示す音声表示を前記画面表示に同期し、かつ前記画面表示の単位長さ内の時間で示すようにして配信すること
を特徴とする広告表示装置。
【請求項３】
請求項１または２において、配信グレードによって配信グレードが設定されたときは他の配信グレードによって、また他の配信グレードによって配信グレードが設定されたときは設定されなかった他方の配信グレードによって前記配信グレードの補正を行って補正された配信グレードを設定もしくは再設定し、該設定もしくは再設定されたグレードを前記初回広告データに付与することを特徴とする広告表示装置。
【請求項４】
請求項２または３において、前記配信グレードを２クラスから構成し、前記整数倍は２−５に設定することを特徴とする広告表示装置。
【請求項５】
入力手段によって広告提供者端末からの広告データを入力し、
分類手段によって該入力手段から入力された広告データを、記憶手段に格納した分類に従って分類し、アイデンティ付号を付与し、
前記手段によって前記広告データを、インターネットを介し、ウェブサイトの閲覧用端末に、次回からの広告データの中で類似の広告データについての配信要求を問合せる項目と共に順次配信し、
管理手段によって前記閲覧用端末からの配信要求の可否の選定結果を受け付け、前記アイデンティ符号をキーとして広告データに選定結果を付すと共に、当該広告データの所属する分類について配信データ数および配信要とした選択結果を集計し（要求数の集計）、当該広告データの所属する分類する配信広告データ数の中で選択結果の受付数を集計し（閲覧数の集計）、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記管理手段によって、前記配信手段で配信された配信データの数（配信データ数）および各広告データに表示された商品についての購買履歴を入力することによって当該分類についての購買履歴データ数を算出して、前記管理管理データベースに格納させ、前記記憶手段に格納された配信データと購買履歴データを他の配信グレードとの関係マップを参照して、前記配信データ数および前記購買履歴データ数から当該分類について他の配信グレードを設定もしくは再設定する、ステップを有し、
前記広告提供者端末からの初回広告データが分類されて前記広告データベースに格納されると、前記管理手段は、当該初回データの所属する分類について設定もしくは再設定された配信グレードを当該初回広告データに付し、前記配信手段は、次回広告データが配信グレード設定領域に属するときは前記ウェブサイトの閲覧用端末に、画面表示すると共に配信要求の広告データであることを示す音声表示して配信すること
を特徴とする広告表示方法。
【請求項６】
入力手段によって広告提供者端末からの広告データを入力し、
分類手段によって該入力手段から入力された広告データを、記憶手段に格納した分類に従って分類し、アイデンティ付号を付与し、
前記手段によって前記広告データを、インターネットを介し、ウェブサイトの閲覧用端末に、次回からの広告データの中で類似の広告データについての配信要求を問合せる項目と共に設定された単位時間で順次配信し、
管理手段によって前記閲覧用端末からの配信要求の可否の選定結果を受け付け、前記アイデンティ符号をキーとして広告データに選定結果を付すと共に、当該広告データの所属する分類について配信データ数および配信要とした選択結果を集計し（要求数の集計）、当該広告データの所属する分類する配信広告データ数の中で選択結果の受付数を集計し（閲覧数の集計）、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記管理手段によって、前記配信手段で配信された配信データの数（配信データ数）および各広告データに表示された商品についての購買履歴を入力することによって当該分類についての購買履歴データ数を算出して、前記管理管理データベースに格納させ、前記記憶手段に格納された配信データと購買履歴データを他の配信グレードとの関係マップを参照して、前記配信データ数および前記購買履歴データ数から当該分類について他の配信グレードを設定もしくは再設定する、ステップを有し、
前記広告提供者端末からの初回広告データが分類されて前記広告データベースに格納されると、前記管理手段は、当該初回データの所属する分類について設定もしくは再設定された配信グレードを当該初回広告データに付し、前記配信手段は、当該初回広告データが配信グレード設定領域に属するときは前記ウェブサイトの閲覧用端末に、表示時間が単位長さのほぼ整数倍の長さで画面表示するようにして配信し、かつ表示音を単位長さ内の時間で示すようにして配信すること
を特徴とする広告表示方法。
【請求項７】
請求項５または６において、配信グレードによって配信グレードが設定されたときは他の配信グレードによって、また他の配信グレードによって配信グレードが設定されたときは設定されなかった他方の配信グレードによって前記配信グレードの補正を行って補正された配信グレードを設定もしくは再設定し、該設定もしくは再設定されたグレードを前記初回広告データに付与することを特徴とする広告表示方法。
【請求項８】
請求項６または７において、前記配信グレードは２クラスから構成され、前記整数倍は２−５に設定されることを特徴とする広告表示方法。
【発明の詳細な説明】
【技術分野】
【０００１】
本発明は、広告表示装置および広告表示方法に関する。
【背景技術】
【０００２】
従来、この種の広告表示装置および広告表示方法としては、予め広告提供者より入力された広告データを分類してデータベースに格納し、配信後の効果に応じて配信スケジュールの再設定を行いながら各ウェブサイト内の広告表示領域へ配信し、一定時間毎に広告データの表示の切り替えを行うものが提案されている。
【０００３】
特許文献１には、音と映像の一方又は双方をユーザ端末に配信するサービスに対するユーザ評価を収集する方法であって、
ユーザ端末が、コンテンツ一覧の閲覧要求をコンテンツ一覧掲載サーバに送信するステップと、
前記コンテンツ一覧掲載サーバが、前記閲覧要求を受信し、コンテンツ一覧の掲載内容を前記ユーザ端末に送信するステップと、
前記ユーザ端末が、前記掲載内容を受信し、該掲載内容を表示し、該表示されたコンテンツ一覧からコンテンツを選択し、第１のコンテンツ配信要求をアンケートサーバに要求するステップと、
前記アンケートサーバが、前記第１のコンテンツ配信要求を受信し、前記ユーザ端末にコンテンツのアドレスと再生画面一体型質問票を送信するステップと、
前記ユーザ端末が、前記コンテンツのアドレスと再生画面一体型質問票を受信し、該再生画面一体型質問票を表示し、該コンテンツのアドレスに基づいて第２のコンテンツ配信要求を配信サーバに自動要求するステップと、
前記配信サーバが、前記第２のコンテンツ配信要求を受信し、コンテンツを前記ユーザ端末に送信するステップと、
前記ユーザ端末が、前記コンテンツを受信し、該コンテンツから前記再生画面一体型質問票内で音と映像の一方又は双方を再生するステップと、
前記ユーザ端末が、前記質問票にユーザから入力された回答データを前記アンケートサーバに送信するステップと、
前記アンケートサーバが前記回答データを受信し、保存し、処理するステップとを、
有するユーザ評価の収集方法が記載されている。
【０００４】
特許文献２には、ネットワーク上の携帯コンテンツ利用の際、その画面の一部または全体に広告宣伝が表示される携帯情報端末における広告宣伝方式において、
携帯情報端末に、サーバ装置に広告送信を要求する広告送信要求手段と、
サーバ装置から送られてくる画像データを表示部に表示する画像データ表示手段を設け、
サーバ装置に、携帯情報端末から送られてくる情報を解析する情報解析手段と、
情報解析に基づき宣伝広告用の音声付き、または音無し画像データを送出する画像データ送出手段とを備え、携帯情報端末の音発信機能が有効か否かによって音声付きか音無しの宣伝広告画像を携帯情報端末に表示する携帯情報端末における広告宣伝方式が記載されている。
【０００５】
【特許文献１】特開２００１−５１９７３号公報
【特許文献２】特開２００２−７７９９７号公報
【発明の開示】
【発明が解決しようとする課題】
【０００６】
しかしながら、こうした広告の広告表示装置および広告表示方法では、広告を提供する側の基準でウェブサイト内の広告表示領域に垂れ流し的に広告を配信し、一定時間毎に広告データの表示の切り替えによる提供方法なので、広告提供者において、効果を上げる為にそれまでに収集した趣味，嗜好に沿った広告の提供がなされているのか、実際にウェブサイト閲覧の目的や閲覧時の商品情報要求に合致した適切な内容かどうかの判断が困難であり、また広告を受取る（表示）閲覧者にとっても、自身の過去の趣味、第三者による購買などの効果によって配信する広告が選択，提供されているので決して閲覧者自身にとっても有益なものとは限らず、常に注視していなければ、いつ希望する広告が表示されたかがわからない場合もある。
【０００７】
本発明の広告表示装置および広告表示方法は、より適切な広告の提供を行って閲覧の目的、閲覧時の希望に対応する配信および表示方法を提示すると共に閲覧者の表示要求の受け付けを可能にすることを目的の一つとする。
【０００８】
また、本発明の広告表示装置および広告表示方法は、随時広告提供者が入力する広告データに、それまでの表示要求の可否の受け付け結果や広告効果である購買履歴の入力により、次回の配信広告データの選択を確実に、かつ容易に行うことができるようにすることを目的の一つとする。
【０００９】
本発明の広告表示装置および広告表示方法は、表示音を効果的な長さの時間で示すことを目的の一つとする。
【課題を解決するための手段】
【００１０】
本発明は、広告提供者端末からの広告データを入力する入力手段と、
該入力手段から入力された広告データを、記憶手段に格納した分類に従って分類し、アイデンティ付号を付与する分類手段と、
前記広告データを、インターネットを介し、ウェブサイトの閲覧用端末に、次回からの広告データの中で類似の広告データについての配信要求を問合せる項目と共に順次配信する配信手段と、
前記閲覧用端末からの配信要求の可否の選定結果を受け付け、前記アイデンティ付号をキーとして広告データに選択結果を付すと共に、当該広告データの所属する分類について配信データ数および配信要とした選定結果を集計し（要求数の集計）、当該広告データの所属する分類する配信データ数の中で選択結果の受付数を集計し（閲覧数の集計）、配信データもしくは、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記管理手段は、前記配信手段で配信された配信データの数および各広告データに表示された商品についての購買履歴を入力することによって当該分類についての購買履歴データ数を算出して、前記管理管理データベースに格納させ、前記記憶手段に格納された配信データと購買履歴データと他の配信グレードとの関係マップを参照して、前記配信データ数および前記購買履歴データ数から当該分類について他の配信グレードを設定もしくは再設定する、管理手段と、を有し、
前記広告提供者端末からの初回広告データが分類されて前記広告データベースに格納されると、前記管理手段は、当該初回データの所属する分類について設定もしくは再設定された配信グレードを当該次回広告データに付し、前記配信手段は、次回広告データが配信グレード設定領域に属するときは前記ウェブサイトの閲覧用端末に画面表示すると共に配信要求の広告データであることを示す音声表示にして配信する広告表示装置および広告表示方法を提供する。
【発明の効果】
【００１１】
本発明によれば、上述した手段，方法によって設定された配信グレードに従って次回の広告データは画面表示および音声表示がなされ、より適切な広告の提供がなされ、閲覧の目的、閲覧時の希望に対応する配信および表示方法が提供される。
【発明を実施するための最良の形態】
【００１２】
本発明の実施例によれば、広告提供者端末からの広告データを入力する入力手段と、
該入力手段から入力された広告データを、記憶手段に格納した分類に従って分類し、アイデンティ付号を付与する分類手段と、
前記広告データを、インターネットを介し、ウェブサイトの閲覧用端末に、次回からの広告データの中で類似の広告データについての配信要求を問合せる項目と共に順次配信する配信手段と、
前記閲覧用端末からの配信要求の可否の選定結果を受け付け、前記アイデンティ付号をキーとして広告データに選択結果を付すと共に、当該広告データの所属する分類について配信データ数および配信要とした選定結果を集計し（要求数の集計）、当該広告データの所属する分類する配信データ数の中で選択結果の受付数を集計し（閲覧数の集計）、配信データもしくは閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、または、前記配信手段で配信された配信データの数および各広告データに表示された商品についての購買履歴を入力することによって当該分類についての購買履歴データ数を算出して、前記管理管理データベースに格納させ、前記記憶手段に格納された配信データと購買履歴データと他の配信グレードとの関係マップを参照して、前記配信データ数および前記購買履歴データ数から当該分類について他の配信グレードを設定もしくは再設定する、管理手段と、を有し、
前記広告提供者端末からの初回広告データが分類されて前記広告データベースに格納されると、前記管理手段は、次回データの所属する分類について設定もしくは再設定された配信グレードを当該初回広告データに付し、前記配信手段は、次回広告データが配信グレード設定領域に属するときは前記ウェブサイトの閲覧用端末に、表示時間が単位長さのほぼ整数倍の長さで画面表示するようにして配信し、かつ配信要求の広告データであることを示す音声表示を前記画面表示に同期し、かつ前記画面表示の単位長さの時間で示すようにして配信する広告表示装置および広告表示方法が構成される。
【００１３】
また、配信グレードによって配信グレードが設定されたときは他の配信グレードによって、また他の配信グレードによって配信グレードが設定されたときは設定されなかった他方の配信グレードによって前記配信グレードの補正を行って補正された配信グレードを設定もしくは再設定し、該設定もしくは再設定されたグレードを前記初回広告データに付与することを特徴とする広告表示装置および広告表示方法が構成される。
前記配信グレードを２クラスから構成し、前記整数倍は２−５に設定することができる。
【００１４】
本実施例によれば、随時広告提供者が入力する広告データに、それまでの表示要求の可否の受け付け結果や広告効果である購買履歴の入力により、画面表示および音声表示によって次回の配信広告データの選択が確実になされることになる。そして、本実施例によれば、初回の画面表示の長さを長くすると共に音声表示を組み合わせることができるから次回の配信広告データの選択がより確実になされることになる。
【実施例】
【００１５】
図１は、本発明の実施例の全体構成の概略図である。
【００１６】
図１に示すように、広告表示システム１００は、管理者用システム１と広告提供者用システムおよびインターネット３を介して接続されるウェブサイト４からなる。管理者用システムは、管理者が管理維持に使用する管理者用端末１ａと本発明の実施例となる広告表示装置（広告表示サーバ、以下サーバという）１ｂになる。サーバ１ｂは、通信手段を介して管理者用端末１ａと広告提供用端末２ｂに接続される。ウェブサイトには多数の閲覧用端末４ａがあり、図に示すようにインターネット３を介して広告表示装置１ｂに接続され、広告配信および配信要求の問合せに対する回答等の情報の送信５，受信５ａがなされる。
【００１７】
管理者用端末１ａ，サーバ１ｂ，広告提供用端末２ｂ，閲覧者用端末はパソコンあるいは他のコンピュータによって構成される。このようにして、広告提供用端末２ｂから入力されたテキスト、もしくは動画を含む画像データによる広告データをインターネット３を介して送信し、表示可能な閲覧用端末４ａに配信するものとしている。さらに、閲覧用端末４ａからインターネット３を介して送信された次回からの広告データの配信に関する要求の可否選択結果をサーバ１ｂで受信するようにしている。これによって管理者用端末１ａで管理設定手段を制御し、種々の管理を行うことになる。
【００１８】
図２は、サーバ１ｂの機能を示す。サーバ１ｂは管理者用端末１ａによって制御される管理設定手段１０，記憶手段１１，入力手段１２，分類手段１３，配信手段１４，管理手段１５を備える。
【００１９】
図３は、図２に示す機能をブロックで表わしている。入力手段１２は初回の広告データを始めとして広告データ入力２９、選定結果の受け付け３０および購買履歴入力４０を行う。記憶手段１１は、記憶手段（１）１１ａ，記憶手段（２）１１ｆ，広告データベース１１ｂ，管理データベース１１ｃからなる。管理手段１５は、要求数の割合算出手段２１，配信グレード配信設定手段（１）２２，購買履歴数の割合算出手段２３，配信グレード配信設定手段（２）２４および配信グレード補正手段４２を備える。
【００２０】
図２および図３において、記憶手段１１は、広告データの分類データを格納する記憶手段（１）１１ａ、分類された広告データ、すなわち分類別広告データおよび広告データとアイデンティ符号との関係データを格納する広告データベース１１ｂ、配信を要求した要求数、要求した、すなわち要求に対応して配信した配信データ数の中で閲覧したことが示されたことを示す閲覧数、閲覧数を要求数で割った閲覧数割合からなる利用状況データ１１ｄ、要求以外のものも含めて配信した配信データ数と購買履歴データ数およびその割合を示す履歴状況データ１１ｅを格納する管理データベース１１ｃ、並びに要求数および閲覧数と配信グレードとの関係マップと配信データ数と他の配信グレードとの関係マップを記憶した記憶手段（２）１１ｆからなる。
【００２１】
分類手段１３は、入力手段から入力された広告データについて分類手段（１）１１ａに格納された分類を参照して広告データを分類して分類毎の一群の広告データとすると共に、それぞれの広告データにアイデンティ符号を付与して格納する。これによって広告データはアイデンティ符号管理がなされ、一群の広告データの中の１つの広告データとされて取り扱われることになる。
【００２２】
配信手段１４は、初回の広告データあるいは次回からの広告データを閲覧用端末４ａに配信する。この配信に当っては各広告データについて次回の類似の広告について配信要求をするか否かの問合せを同時に行う。ここでいう類似とは、予め設定した分類の中に入るとして取り扱うということである。
【００２３】
管理手段１５は、配信要求可否の選定結果の受け付けを入力手段３０を介して行い、選定結果付与３１、すなわち広告データに選定結果付与を行い、要求数の割合算出手段２１によって分類毎に配信データ数集計３６，要求数集計３３，閲覧数集計３４，配布データ集計数に対する要求数集計の割合である要求数の割合算出３５を行う。配信グレード配信設定手段（１）２２によってこれらの要求数４０ａ，閲覧数４０ｂから配信グレード設定４０ｃを行う。次回以降の場合には再設定を行うことができる。
【００２４】
購買履歴数の割合算出手段２３によって配信データ数集計３６を行い、また購買履歴データ集計３７を行って購買履歴数の割合算出３８を行う。配信グレード配信設定手段（２）２４によってこれらの配信データ数４１ａ，購買履歴データ数４１ｂから他の配信グレード設定４１ｃを行う。
【００２５】
これらの設定された配信グレードは次回以降の類似の広告データからなる一群の広告データに所属する広告データについては後述するように閲覧用端末４ａに要求に対応した配信であることを示す信号を発することを行う。この信号は画面表示と音声表示によってなされることになる。この場合に、これらの表示は、配信グレード設定４０ｃされたグレードによって、もしくは他の配信グレード設定４１ｃされたグレードによってなされ得、一方のグレードに他方のグレードを組み合わせた補正されたグレードによってなされてもよい。
【００２６】
また、上述の例では配信グレード設定４０ｃに当って要求数４０ａを使用しているが、配信データ数４１ａを使用してもよいし、他の配信グレード設定４１ｃに当って配信データ数４１ａを使用しているが要求数４０ａを使用するようにしてもよい。
【００２７】
また、画面表示は、閲覧用端末４ａの広告表示領域になされる。
【００２８】
サーバ１ｂは、図示すように、管理者用端末１ａから管理設定手段１０によって、記憶手段１１で記憶され分類に従い、入力手段１２によって入力された広告データの分類とアイデンティ符号の付与を行い、分類別広告データとアイデンティを共に広告データベース１１ｂに分類手段１３によって格納し、配信手段１４により広告データと所属する分類における広告について次回からの配信要求の可否の問合せ項目と問い合せ項目の選定結果の送信手段とをインターネット３を介し、閲覧中のウェブサイトの閲覧用端末４ａの広告表示領域に配信する。またウェブサイトからの配信要求の可否の問合せ項目に対する選定結果の送信データを管理手段１５により受け付け、選定結果を所属する分類についての広告データに付与し、該当分類についての配信要求が要の総数である要求数，選定結果総数である閲覧数の集計により、要求数割合を算出し、記憶手段（２）における要求数および閲覧数と配信グレードとの関係マップを参照して、配信グレードの設定もしくは再設定、もしくは管理者用端末から入力される購買履歴数によって、過去の配信データ数，購買履歴データ数を集計し、記憶手段（２）における配信データ数および購買履歴データ数と配信グレードとの関係マップを参照して、他の配信グレードの設定もしくは再設定による前述グレードの補正を行い、夫々広告データに対しウェブサイト内の広告表示領域に、表示時間が単位長さのほぼ整数倍の長さで画面表示するようにして配信し、かつ音もしくは音声を含む表示音を単位長さ内の時間で示すようにして配信するようにしている。この単位長さは、広告データを配信する場合の課金の単位として取り扱うことができる。そして、この単位について統計を取ることができる。
【００２９】
図４は、記憶手段（１）１１ａに格納している広告データの類似別の分類を示す分類図である。図において、商品毎の販売店，販売地域別に分類して広告データを格納している。商品について、大分類，中分類，小分類のツリー方式、あるいは機能別にしたマップ状とすることもできる。尚、図４において、アイデンティ符号を更に詳細にしてＡ１，Ｂ１，Ｃ１というようにしてもよい。
【００３０】
図５は、ウェブサイト４の閲覧用端末４ａに表示される広告データの表示概要を示す図である。閲覧者用端末において、表示中のウェブサイト内の広告表示領域４ｂに表示する広告データ２４（図では速報を知らせる画面となっている。）と所属する分類における広告について次回からの配信要求の可否の問合せ項目５２と問い合せ項目と選定結果の送信手段５３とが各分類についての広告データ毎に対応して表示する構成としている。これらの情報がインターネット３を介して管理手段１５に前述した手段によってフィードバックされる。
【００３１】
図６は、記憶手段（２）１１ｆに格納している関係マップの概要図である。これらの関係マップは閲覧数に対する要求数の関係において要求数Ｘと閲覧数Ｙの関係で配信グレード設定領域と配信グレード非設定領域を設けている。配信グレード設定領域は、広告データベース１１ｂに格納された広告データの優先した再配信および新しい広告データについて要求に対応した配信であることの表示を行う領域である。配信グレード非設定領域は、広告データベース１１ｂに格納された広告が再配信されない領域であり、新しい広告データについては、通常の配信を行う領域である。
【００３２】
図において、配信要求割合２５は管理者用端末１ａからの指示によって任意に変更可能である。
【００３３】
図６（ｂ）は配信データ数に対する購買履歴数の関係を示す。購買履歴数は、広告データに関して別途に設けられた購買の情報欄から取り入れられる。図６（ａ）と同様に配信グレード設定領域および配信グレード非設定領域が設けてあり、購買履歴データ数割合２６も任意に変更可能である。
【００３４】
上述の例では配信グレードを２クラスとしているが、それ以上のクラスに編成することも可能である。
【００３５】
ウェブサイトからの配信要求の可否の問合せ項目に対する選定結果を受け付けて、利用状況を該当分類についての配信要求が要の総数である要求数と選定結果総数である閲覧数の集計によって配信要求割合２５の算出し、配信グレードの設定もしくは再設定をし、また履歴状況を管理者用端末からの購買履歴の入力が有った場合に、配信データ数および購買履歴データ数の集計を行い購買履歴データ数割合２６を算出し、また他の配信グレードの設定もしくは再設定による前述グレードの補正により購買割合２７を算出し配信グレードを設定するものとしている。
【００３６】
サーバ１ｂおける処理手段は、図示すように、閲覧用端末４ａから送信された選定結果の受け付け３０をすることにより、該当する分類についての広告データに選定結果付与３１と共に格納し、さらに選定結果が要３２の場合に記憶手段１１において、要求数集計３３と閲覧数集計３４により要求数の割合割合算出し、記憶手段（２）１１ｆにおいて要求数４０ａおよび閲覧数４０ｂと配信グレードとの関係マップを記憶されている管理データベース参照し、配信グレード設定４０ｃ行うと共に選定結果が要３２についての所属する分類についての広告内容に関する購買履歴入力４０を管理者用端末１ａからすることにより、過去の配信データ数集計３６，購買履歴データ集計３７により購買履歴数の割合算出３８をし、記憶手段（２）において配信データ数４１ａおよび購買履歴データ数４１ｂと配信グレードとの関係マップを記憶されている管理データベース参照し、他の配信グレードの設定もしくは再設定による前述グレードの補正を行い他の配信グレード設定４１ｃをし、配信手段１４により広告データと所属する分類における広告について次回からの配信要求の可否の問合せ項目と問い合せ項目の選定結果の送信手段とをインターネットを介し、ウェブサイト内の広告表示領域４ｂに配信するようにしている。
【００３７】
図７は、表示における表示音と表示時間の関係を示す概略図である。連続した広告データの提供７１が閲覧用端末４ａになされる。連続した広告は初回の新しい広告データと、初回の配信で再配信とされた広告データとを含んで構成される。初回の新しい広告データであっても配信グレード設定領域に属する広告データの提供７５は長い時間での配信とされる。この配信グレード設定領域に属する広告データの提供７５には初回と次回のものが含まれる。このようにして画面表示７３がなされるが、初回の広告データであって前述の判定がなされていないデータについては単位時間の配信とされる。連続した広告データの提供は、初回の広告データの表示の単位時間に対して画面表示の単位時間に対して１対１もしくは単位時間２〜５倍のほぼ整数倍としてなされる。
【００３８】
図７において、初回広告データが閲覧用端末に配信される場合にはそれぞれの広告データは単位時間に設定されて配信される。前述のように、各初回広告データについて配信グレードが設定されると、当該広告データが分類上属することになる新たな初回広告データは、配信グレード設定領域に属する広告データとして、例えば、図に示すように、単位時間の３倍の長さで配信されるよう管理手段１５によって制御される。初回広告データで配信グレード設定領域に属さず、すなわち配信グレード非設定領域に属する場合には記憶手段（１）１１ａの格納から消去される。また、配信グレード設定領域に属する広告データは初回の広告データと混合されて図に示すように順次連続して提供、すなわち配信がなされる。配信グレード設定領域に属して配信が繰り返してなされる広告データであっても所定回数配信されると記憶手段（１）１１ａの格納から消去されることになる。これに伴って、要求数，閲覧数，要求数割合についても該当の広告データが消去されるので変動していくことになる。これに伴って再設定がなされていくことになる。音声表示は、一定時間なされれば充分であり、この場合、前述の単位時間と同じか、もしくは１／２−１／５の長さに設定され、配信グレード設定領域に属する広告データの提供７５の時の始まりに同期してなされる。すなわち、単位時間内の音声表示となる。この場合に、音表示は、１倍もしくは１倍以内であるが１年単位として取り扱うものとする。
【００３９】
図８は、全体フローチャートを示す図である。広告提供者用端末から入力手段によって広告データの入力Ｓ６０があった時に、記憶手段によって記憶された分類に従って入力された広告データの分類Ｓ６１およびアイデンティ符号の付与をし、格納手段によって記憶手段に記憶された広告データベースへ格納Ｓ６３し、配信手段によってウェブサイト内の広告表示領域へ配信Ｓ６４を行い、所属の分類別に広告データと次回配信要求の問い合せ表示Ｓ６５をし、ウェブサイトからの配信要求の可否選定結果受け付けＳ６６により、広告データに選定結果の付与Ｓ８５と共に配信要求ありＳ６７について、記憶手段に記憶されている管理データベース参照Ｓ６９により、要求数の集計Ｓ７０と閲覧数の集計Ｓ７１から要求数の割合の算出Ｓ７２を行い、さらに要求数および要求数割合と配信グレードとの関係マップの参照Ｓ７３によって、配信グレードの設定Ｓ７４を行い、前記管理データベースへ格納Ｓ７５を行うと共に管理者用端末から購買履歴入力ありＳ６８について、前記管理データベース参照Ｓ７７をし、配信データ数の集計Ｓ７８と購買履歴データ数の集計Ｓ７９により、購買履歴数の割合の算出Ｓ８０をし、配信データ数および購買履歴データ数割合と配信グレードとの関係マップの参照Ｓ８１によって、他の配信グレードによって補正された配信グレードの設定による前述グレードの補正を行い配信グレードの設定Ｓ８２を行い、配信グレードの付与Ｓ８３をし、前記管理データベースへ格納Ｓ８４し、さらに広告データベースへ格納Ｓ７６し、配信グレードを参照し、配信グレードありＳ８５について、該当する所属の分類についての広告データを、ウェブサイト内の閲覧用端末の広告表示領域へ配信Ｓ６４するとしている。この場合に、前述のように画面表示および音声表示がなされる。
【００４０】
以上のように本実施例である広告表示方法は、
入力手段によって広告提供者端末からの広告データを入力するステップ、
分類手段によって該入力手段から入力された広告データを、記憶手段に格納した分類に従って分類し、アイデンティ付号を付与するステップ、
前記手段によって前記広告データを、インターネットを介し、ウェブサイトの閲覧用端末に、次回からの広告データの中で類似の広告データについての配信要求を問合せる項目と共に順次配信し、するステップを有する。
【００４１】
また、管理手段によって前記閲覧用端末からの配信要求の可否の選定結果を受け付け、前記アイデンティ符号をキーとして広告データに選定結果を付すと共に、当該広告データの所属する分類について配信データ数および配信要とした選択結果を集計し（要求数の集計）、当該広告データの所属する分類する配信広告データ数の中で選択結果の受付数を集計し（閲覧数の集計）、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定する、ステップを有する。または、前記管理手段によって、前記配信手段で配信された配信データの数（配信データ数）および各広告データに表示された商品についての購買履歴を入力することによって当該分類についての購買履歴データ数を算出して、前記管理管理データベースに格納させ、前記記憶手段に格納された配信データと購買履歴データを他の配信グレードとの関係マップを参照して、前記配信データ数および前記購買履歴データ数から当該分類について他の配信グレードを設定もしくは再設定する、ステップを有する。
【００４２】
更に、前記広告提供者端末からの初回広告データが分類されて前記広告データベースに格納されると、前記管理手段は、当該初回データの所属する分類について設定もしくは再設定された配信グレードを当該初回広告データに付し、前記配信手段は、次回広告データが配信グレード設定領域に属するときは前記ウェブサイトの閲覧用端末に、画面表示すると共に配信要求の広告デ−タであることを示す音声表示して配信するステップを有する。
【００４３】
更に、詳述すると本実施例の広告表示方法は、
入力手段によって広告提供者端末からの広告データを入力するステップ、
分類手段によって該入力手段から入力された広告データを、記憶手段に格納した分類に従って分類し、アイデンティ付号を付与するステップ、
前記手段によって前記広告データを、インターネットを介し、ウェブサイトの閲覧用端末に、次回からの広告データの中で類似の広告データについての配信要求を問合せる項目と共に設定された単位時間で順次配信するステップを有する。
【００４４】
管理手段によって前記閲覧用端末からの配信要求の可否の選定結果を受け付け、前記アイデンティ符号をキーとして広告データに選定結果を付すと共に、当該広告データの所属する分類について配信データ数および配信要とした選択結果を集計し（要求数の集計）、当該広告データの所属する分類する配信広告データ数の中で選択結果の受付数を集計し（閲覧数の集計）、閲覧数に対する要求数の割合を算出し（要求数割合の算出）、前記要求数，前記閲覧数、および前記要求数割合を管理データベースに格納させ、記憶手段に格納された要求数および要求数割合と配信グレードとの関係マップを参照して、前記要求数および前記要求数割合から当該分類について配信グレードを設定もしくは再設定するステップを有する。または、前記管理手段によって、前記配信手段で配信された配信データの数（配信データ数）および各広告データに表示された商品についての購買履歴を入力することによって当該分類についての購買履歴データ数を算出して、前記管理管理データベースに格納させ、前記記憶手段に格納された配信データと購買履歴データを他の配信グレードとの関係マップを参照して、前記配信データ数および前記購買履歴データ数から当該分類について他の配信グレードを設定もしくは再設定する、ステップを有する。
【００４５】
更に前記広告提供者端末からの初回広告データが分類されて前記広告データベースに格納されると、前記管理手段は、当該初回データの所属する分類について設定もしくは再設定された配信グレードを当該初回広告データに付し、前記配信手段は、当該初回広告データが配信グレード設定領域に属するときは前記ウェブサイトの閲覧用端末に、表示時間が単位長さのほぼ整数倍の長さで画面表示するようにして配信し、かつ表示音を単位長さ内の時間で示すようにして配信するステップを有する。
【００４６】
更に、配信グレードによって配信グレードが設定されたときは他の配信グレードによって、また他の配信グレードによって配信グレードが設定されたときは設定されなかった他方の配信グレードによって前記配信グレードの補正を行って補正された配信グレードを設定もしくは再設定し、該設定もしくは再設定されたグレードを前記初回広告データに付与するステップを有する。
【００４７】
前記配信グレードは２クラスから構成され、前記整数倍は２−５に設定され得る。
【００４８】
図９に、閲覧数，要求数，要求可否，要求数割合によって算出処理した配信グレード（１）の例、および配信数，購買数，購買履歴割合によって算出処理した配信グレード（２）の例、更に配信グレード（１）を配信グレード（２）を参照した配信グレード（３）の例を示す。このような配信グレードは管理手段１５によって処理され、管理データベース１１ｃに格納される。
【００４９】
図１０に、配信グレードと画面による表示時間および音声による表示時間との関係を示す。
【図面の簡単な説明】
【００５０】
【図１】本発明の実施例が適用される広告表示システムの概要図。
【図２】本発明の実施例である広告表示装置の機能を示す機能図。
【図３】図２の機能をブロックで示すブロック図。
【図４】広告データを類似別に分類する例を示す図。
【図５】広告データと共に配信される配信要求問合せ画面図。
【図６】記憶手段に格納される関係マップ図。
【図７】図面表示と音声表示とを示す図。
【図８】本発明の実施例のフローチャート図。
【図９】管理手段によって算出処理して出力した配信グレードの例を示す図。
【図１０】配信グレードと画面による表示時間と音声による音声時間との関係を示す図。
【符号の説明】
【００５１】
１…管理者用システム、１ａ…管理者用端末、１ｂ…サーバ（広告表示装置）、２…広告提供者システム、２ｂ…広告提供用端末、３…インターネット、４ａ…閲覧用端末、４ｂ…広告表示領域、１０…管理設定手段、１１…記憶手段、１１ａ…記憶手段（１）、１１ｂ…広告データベース、１１ｃ…管理データベース、１１ｆ…記憶手段（２）、１２…入力手段、１３…分類手段、１４…配信手段、１５…管理手段、２１…要求数の割合算出手段、２２…配信グレード配信設定手段（１）、２３…購買履歴数の割合算出手段、２４…配信グレード配信設定手段（２）、２５…配信要求割合、２６，２７…購買履歴データ数割合、２９…広告データ入力、３０…選定結果の受け付け、３１…選定結果付与、３３…要求数集計、３４…閲覧数集計、３５…要求数の割合算出、３６…配信データ数集計、３７…購買履歴データ集計、３８…購買履歴数の割合算出、４０ａ…要求数、４０ｂ…閲覧数、４０ｃ…配信グレード設定、４１ａ…配信データ数、４１ｂ…購買履歴データ数、４１ｃ…他の配信グレード設定、４２…配信グレード補正手段、５２…配信要求を問合せる項目の選定手段（配信要求の可否の問合せ項目）、５３…配信要求を問合せる項目の選定結果の送信手段（問合せ項目と選定結果の送信手段）、７１…連続した広告データの提供（配信要求の分類別広告データ）、７２…初回広告データの提供、7６…音声表示、７３…画面表示、７４…単位時間、１００…広告表示システム。
【図１】
2006163549.tif 000003
【図２】
2006163549.tif 000004
【図３】
2006163549.tif 000005
【図４】
2006163549.tif 000006
【図５】
2006163549.tif 000007
【図６】
2006163549.tif 000008
【図７】
2006163549.tif 000009
【図８】
2006163549.tif 000010
【図９】
2006163549.tif 000011
【図１０】
2006163549.tif 000012